【手続補正書】
【提出日】平成20年3月25日(2008.3.25)
【手続補正１】
【補正対象書類名】明細書
【補正対象項目名】特許請求の範囲
【補正方法】変更
【補正の内容】
【特許請求の範囲】
【請求項１】
取引処理を行なう機構部を内蔵した本体と、
本体前面の中央部に前方に突出して設けたテーブルと、
テーブル上面に配置された操作表示部と、
テーブル上方の本体前面に配置されかつ取引媒体の挿入排出口を有する複数の取引媒体入出力部とを備え、
前記取引媒体の投入及び前記操作表示部の入力操作により取引を行なう自動機であって、
前記テーブルは、テーブル下面とテーブル下方の本体前面とで形成される空間内に本体前面に正対する車椅子利用者の膝部が進入可能となるように形成し、
前記複数の取引媒体入出力部は、本体前面の上下で独立して突出する突出部にそれぞれの挿入排出口を設けると共に、本体前面に正対する前記車椅子利用者の足部先端に対向する本体前面よりも前記それぞれの挿入排出口を前方に位置させ、本体前面に正対する前記車椅子利用者及び立位利用者の双方が前記それぞれの挿入排出口を操作可能でかつ視認可能な範囲内に配置させた
ことを特徴とする自動機。
【請求項２】
請求項１に記載の自動機において、
前記取引媒体入出力部は、本体前面に突出する突出部に挿入排出口を設けると共に、前記取引媒体の横幅より若干広くかつ上方に開放した取引媒体載置部を前記挿入排出口の前側一部として設け、本体前面に正対する前記車椅子利用者の足部先端に対向する本体前面よりも前記取引媒体載置部を前方に位置させ、本体前面に正対する前記車椅子利用者及び立位利用者が前記取引媒体載置部を操作可能でかつ視認可能な範囲内に配置させたことを特徴とする自動機。
【請求項３】
請求項１または２に記載の自動機おいて、
車椅子利用者は成人女性５パーセントタイル値を基準とし、立位利用者は成人男性９５パーセントタイル値を基準としたことを特徴とする自動機。
【請求項４】
請求項１から３の何れかに記載の自動機おいて、
前記テーブルは、テーブル上面全体を前方に低く傾斜させて本体前面に正対する前記車椅子利用者及び立位利用者の双方が前記操作表示部を操作可能でかつ視認可能な範囲内に配置されたことを特徴とする自動機。
【請求項５】
請求項１から３の何れかに記載の自動機おいて、
前記テーブルは、テーブル後部の両側に車椅子利用者用手掛け部を形成したことを特徴とする自動機。
【請求項６】
請求項１から３の何れかに記載の自動機おいて、
前記本体は前面に配置された広告パネルを備え、
前記複数の取引媒体入出力部は、通帳を挿入排出する通帳口と、カードを挿入排出するカード口とを本体前面に突出する突出部に位置して左右に隣接して設け、
前記広告パネルは、本体前面に配置されかつ取引媒体の挿入排出口を有する複数の前記取引媒体入出力部にかかる形で前記挿入排出口より上方にあり、前記突出部から連続しかつ差し替え可能な広告シートを有して設置したことを特徴とする自動機。
【請求項７】
請求項６に記載の自動機おいて、
前記複数の取引媒体入出力部は、前後方向に通帳を挿入排出する通帳口と、前後方向にカードを挿入排出するカード口と、前後方向に紙幣を挿入排出する紙幣口とを左右上下に隣接して略三角形の頂点を形成する位置に設けたことを特徴とする自動機。
【請求項８】
請求項６または７に記載の自動機おいて、
前記取引媒体入出力部は、前後方向に通帳を挿入排出する通帳口と、前後方向にカードを挿入排出するカード口とを本体前面に突出する突出部に左右に隣接して並置すると共に、前記通帳口及び前記カード口の上壁部材をこの両者にまたがって周囲の部材と異なる一つのパネルで形成したことを特徴とする自動機。
【請求項９】
請求項６から８の何れかに記載の自動機おいて、
前記取引媒体入出力部は、前後方向に取引媒体を挿入排出する挿入排出口を本体前面に突出する突出部に設けると共に、前記取引媒体の横幅より若干広くかつ上方に開放した取引媒体載置部を前記挿入排出口の前側の一部として設け、前記突出部の上壁部を透視可能なパネルで形成したことを特徴とする自動機。
【請求項１０】
取引処理を行なう機構部を内蔵した本体と、前記本体の前面部のテーブル面に配置された操作表示部と、紙幣が挿入排出可能な紙幣口を有する取引媒体入出力部とを備え、前記取引媒体の投入及び前記操作表示部の入力操作により取引を行なう自動機であって、
前記取引媒体入出力部は、前記操作表示部の前方に前記紙幣口を配置したことを特徴とする自動機。
【手続補正２】
【補正対象書類名】明細書
【補正対象項目名】００１９
【補正方法】変更
【補正の内容】
【００１９】
【課題を解決するための手段】前記第１の目的を達成するための本発明の第１の手段は、取引処理を行なう機構部を内蔵した本体と、本体前面の中央部に前方に突出して設けたテーブルと、テーブル上面に配置された操作表示部と、テーブル上方の本体前面に配置されかつ取引媒体の挿入排出口を有する複数の取引媒体入出力部とを備え、前記取引媒体の投入及び前記操作表示部の入力操作により取引を行なう自動機であって、前記テーブルは、テーブル下面とテーブル下方の本体前面とで形成される空間内に本体前面に正対する車椅子利用者の膝部が進入可能となるように形成し、前記複数の取引媒体入出力部は、本体前面の上下で独立して突出する突出部にそれぞれの挿入排出口を設けると共に、本体前面に正対する前記車椅子利用者の足部先端に対向する本体前面よりも前記それぞれの挿入排出口を前方に位置させ、本体前面に正対する前記車椅子利用者及び立位利用者の双方が前記それぞれの挿入排出口を操作可能でかつ視認可能な範囲内に配置させたものである。
【手続補正３】
【補正対象書類名】明細書
【補正対象項目名】００２０
【補正方法】変更
【補正の内容】
【００２０】
前記第２の目的を達成するための本発明の第２の手段では、前記テーブルは、テーブル上面全体を前方に低く傾斜させて本体前面に正対する前記車椅子利用者及び立位利用者の双方が前記操作表示部を操作可能でかつ視認可能な範囲内に配置されたものである。
【手続補正４】
【補正対象書類名】明細書
【補正対象項目名】００２１
【補正方法】変更
【補正の内容】
【００２１】
前記第３の目的を達成するための本発明の第３の手段では、前記テーブルは、テーブル後部の両側に車椅子利用者用手掛け部を形成したものである。
【手続補正５】
【補正対象書類名】明細書
【補正対象項目名】００２２
【補正方法】変更
【補正の内容】
【００２２】
前記第４の目的を達成するための本発明の第４の手段では、前記本体は前面に配置された広告パネルを備え、前記複数の取引媒体入出力部は、通帳を挿入排出する通帳口と、カードを挿入排出するカード口と、前後方向に紙幣を挿入排出する紙幣口とを本体前面に突出する突出部に位置して左右に隣接して設け、前記広告パネルは、本体前面に配置されかつ取引媒体の挿入排出口を有する複数の前記取引媒体入出力部にかかる形で前記挿入排出口より上方にあり、前記突出部から連続しかつ差し替え可能な広告シートを有して設置したものである。
【手続補正６】
【補正対象書類名】明細書
【補正対象項目名】００２３
【補正方法】変更
【補正の内容】
【００２３】
前記第５の目的を達成するための本発明の第５の手段では、前記複数の取引媒体入出力部は、前後方向に通帳を挿入排出する通帳口と、前後方向にカードを挿入排出するカード口と、前後方向に紙幣を挿入排出する紙幣口とを左右上下に隣接して略三角形の頂点を形成する位置に設けたものである。
【手続補正７】
【補正対象書類名】明細書
【補正対象項目名】００２４
【補正方法】変更
【補正の内容】
【００２４】
前記第６の目的を達成するための本発明の第６の手段では、前記取引媒体入出力部は、前後方向に通帳を挿入排出する通帳口と、前後方向にカードを挿入排出するカード口とを本体前面に突出する突出部に左右に隣接して並置すると共に、前記通帳口及び前記カード口の上壁部材をこの両者にまたがって周囲の部材と異なる一つのパネルで形成したものである。
【手続補正８】
【補正対象書類名】明細書
【補正対象項目名】００２５
【補正方法】変更
【補正の内容】
【００２５】
前記第７の目的を達成するための本発明の第７の手段では、前記取引媒体入出力部は、前後方向に取引媒体を挿入排出する挿入排出口を本体前面に突出する突出部に設けると共に、前記取引媒体の横幅より若干広くかつ上方に開放した取引媒体載置部を前記挿入排出口の前側の一部として設け、前記突出部の上壁部を透視可能なパネルで形成したものである。